(57)【要約】【課題】美観を損なうことなく、かつ発電量を確保可能な太陽電池付き時計用の文字板１４を提供する。【解決手段】太陽電池付き時計用の光透過性を有する文字板１４であって、文字板１４の下面は、下面側に窪む谷条部１４１と、谷条部１４１に隣接して下面側の反対側に突出する山条部１４２とからなる凹凸を含み、文字板１４の厚み方向における、谷条部１４１の深さと山条部１４２の高さは等しく、断面視における、厚み方向に直交する方向における谷条部１４１の幅は、山条部１４２の幅よりも大きい。【選択図】図３
2020016574.tif 000002
【特許請求の範囲】
【請求項１】
太陽電池付き時計用の光透過性を有する文字板であって、
前記文字板の下面は、前記文字板の上面側に窪む谷条部と、前記谷条部に隣接して前記下面側に突出する山条部とからなる凹凸を含み、
前記文字板の厚み方向における前記谷条部の深さと前記山条部の高さは等しく、
断面視における、前記厚み方向に交差する方向における前記谷条部の幅は、前記山条部の幅よりも大きい、
文字板。
【請求項２】
断面視における、前記谷条部の底部の曲率半径は、前記山条部の頂部の曲率半径よりも大きい、
請求項１に記載の文字板。
【請求項３】
断面視における、前記谷条部の底部の形状は丸みを帯びた形状である、
請求項１又は２に記載の文字板。
【請求項４】
断面視における、前記山条部の頂部の形状は丸みを帯びた形状であって、
前記底部は、前記頂部よりも大きく丸みを帯びている、
請求項３に記載の文字板。
【請求項５】
前記文字板の上面は平面であり、
断面視における、前記上面に対する前記底部の最大傾斜角度は、前記上面に対する前記頂部の最大傾斜角度よりも小さい、
請求項１〜４のいずれか１項に記載の文字板。
【請求項６】
前記谷条部及び前記山条部は、前記下面に同心円状又は渦巻き状に形成される、
請求項１〜５のいずれか１項に記載の文字板。
【請求項７】
ポリカーボネート樹脂又はアクリル樹脂からなる、
請求項１〜６のいずれか１項に記載の文字板。
【請求項８】
請求項１〜７のいずれか１項に記載の文字板と、
前記文字板の前記下面側に配置される太陽電池と、
を含む、
太陽電池付き時計。
【請求項９】
前記凹凸は、平面視において少なくとも前記太陽電池と重なる位置に形成される、
請求項８に記載の太陽電池付き時計。
【発明の詳細な説明】
【技術分野】
【０００１】
本発明は、文字板、太陽電池付き時計に関する。
【背景技術】
【０００２】
太陽電池付き時計においては、太陽電池に光を入射させるため、光透過性を有する文字板が用いられている。太陽電池は独特の濃紫色を有しており、文字板から太陽電池が透けて見えると美観を損なう可能性がある。そこで、例えば、特許文献１に開示される文字板においては、断面形状が略直角である山条部と谷条部とからなる凹凸を下面に形成することにより、光を分散、拡散させて太陽電池の色調を消す工夫を施している。
【先行技術文献】
【特許文献】
【０００３】
【特許文献１】特開２０１１−１７４９４８号公報
【発明の概要】
【発明が解決しようとする課題】
【０００４】
特許文献１に開示されるように、文字板の下面に凹凸を形成した場合、文字板における光の反射率が高くなり、文字板の下側に設けられる時計の内部構造の視認性を下げることができる一方で、光の透過率が低くなることにより、太陽電池における発電量が低下してしまう可能性がある。
【０００５】
本発明は上記課題に鑑みてなされたものであって、その目的は、美観を損なうことなく、かつ発電量を確保可能な太陽電池付き時計用の文字板、及び太陽電池付き時計を提供することにある。
【課題を解決するための手段】
【０００６】
上記課題を解決すべく本出願において開示される発明は種々の側面を有しており、それら側面の代表的なものの概要は以下の通りである。
【０００７】
（１）太陽電池付き時計用の光透過性を有する文字板であって、前記文字板の下面は、前記文字板の上面側に窪む谷条部と、前記谷条部に隣接して前記下面側に突出する山条部とからなる凹凸を含み、前記文字板の厚み方向における前記谷条部の深さと前記山条部の高さは等しく、断面視における、前記厚み方向に交差する方向における前記谷条部の幅は、前記山条部の幅よりも大きい、文字板。
【０００８】
（２）（１）において、断面視における、前記谷条部の底部の曲率半径は、前記山条部の頂部の曲率半径よりも大きい、文字板。
【０００９】
（３）（１）又は（２）において、断面視における、前記谷条部の底部の形状は丸みを帯びた形状である、文字板。
【００１０】
（４）（３）において、断面視における、前記山条部の頂部の形状は丸みを帯びた形状であって、前記底部は、前記頂部よりも大きく丸みを帯びている、文字板。
【００１１】
（５）（１）〜（４）のいずれかにおいて、前記文字板の上面は平面であり、断面視における、前記上面に対する前記谷条部の底部の最大傾斜角度は、前記上面に対する前記山条部の頂部の最大傾斜角度よりも小さい、文字板。
【００１２】
（６）（１）〜（５）のいずれかにおいて、前記谷条部及び前記山条部は、前記下面に同心円状又は渦巻き状に形成される、文字板。
【００１３】
（７）（１）〜（６）のいずれかにおいて、ポリカーボネート樹脂又はアクリル樹脂からなる、文字板。
【００１４】
（８）（１）〜（７）のいずれかに記載の文字板と、前記文字板の前記下面側に配置される太陽電池と、を含む、太陽電池付き時計。
【００１５】
（９）（８）において、前記凹凸は、平面視において少なくとも前記太陽電池と重なる位置に形成される、太陽電池付き時計。
【発明の効果】
【００１６】
上記本発明の（１）〜（９）の側面によれば、美観を損なうことなく、かつ発電量を確保可能な太陽電池付き時計用の文字板、及び太陽電池付き時計を提供することができる。
【図面の簡単な説明】
【００１７】
【図１】本実施形態に係る電子時計を示す平面図である。
【図２】図１のＡ−Ａ切断線における断面図である。
【図３】本実施形態の文字板及び太陽電池の概要を示す断面図である。
【図４】本実施形態の文字板を下面側から見た平面図である。
【図５】従来例の文字板に形成される凹凸の谷条部における光の透過と、本実施形態の文字板に形成される凹凸の谷条部における光の透過との比較について説明する模式図である。
【図６】本実施形態の文字板に形成される凹凸の谷条部における光の透過について説明する模式図である。
【図７】本実施形態の文字板に形成される凹凸の山条部における光の透過について説明する模式図である。
【図８】本実施形態における光の反射、透過について説明する模式図である。
【図９】本実施形態の文字板の下面の凹凸の形状の詳細を説明するための模式図である。
【図１０】本実施形態の文字板の下面の凹凸の形状の詳細を説明するための模式図である。
【図１１】本実施形態の文字板の下面の凹凸の形状の詳細を説明するための模式図である。
【発明を実施するための形態】
【００１８】
以下、本発明の実施形態（以下、本実施形態という）について図面に基づき詳細に説明する。
【００１９】
図１は、本実施形態に係る太陽電池付き時計を示す平面図である。図２は、図１のＡ−Ａ切断線における断面図である。なお、図２においては、後述の竜頭１３の図示は省略しており、また、指針の配置を分かりやすくするため、分針１６が９時の方向を向いており、時針１５及び秒針１７が３時の方向を向いている状態を示している。
【００２０】
図１には、太陽電池付き時計１の外装（時計ケース）である胴１０、胴１０内に配置された文字板１４、時刻を示す指針である時針１５、分針１６、秒針１７が示されている。また、文字板１４には所定の位置に時字４９が設けられている。また、胴１０の１２時側及び６時側の側面からは、バンドを固定するためのバンド固定部１１が伸びている。また、胴１０の３時側の側面にはユーザが種々の操作を行うためのボタン１２、竜頭１３が配置されている。
【００２１】
なお、図１に示した時計のデザインは一例である。ここで示したもの以外にも、例えば、胴１０を丸型でなく角型にしてもよいし、ボタン１２や竜頭１３の有無、数、配置は任意である。また、本実施形態では、指針を時針１５、分針１６、秒針１７の３本としているが、これに限定されず、秒針１７を省略してもよいし、あるいは、曜日、タイムゾーンやサマータイムの有無、電波の受信状態や電池の残量、各種の表示を行う指針や、日付表示等を追加したりしてもよい。
【００２２】
なお、本明細書では、太陽電池付き時計１として、ＧＰＳ（Global Positioning System）衛星などの日付や時刻に関する情報を含む衛星信号を送信する衛星から当該衛星信号を受信し、それに含まれる日付や時刻に関する情報に基づき、時計内部に保持される内部時刻を修正する機能を有している衛星電波腕時計を示す。ただし、これに限られるものではなく、一般的な標準電波を受信して内部時刻を修正する電波時計であってもよいし、こうした時刻修正機能を備えない時計であってもよい。
【００２３】
図２に示すように、太陽電池付き時計１は、文字板１４を覆うようにガラス等の透明材料により形成された風防３２を有し、風防３２は胴１０に取り付けられている。また、風防３２の反対側においては裏蓋３６が胴１０に取り付けられている。本明細書では、以降、時計の風防３２が配置される側（図１における紙面手前側）を上側、裏蓋３６が配置される側（図１における紙面奥側）を下側と呼ぶ。
【００２４】
文字板１４の下側には、太陽電池３０が配置されており、文字板１４を透過して上側から太陽電池３０に入射される光により発電がなされる。そのため、文字板１４はある程度光線を透過する材質で形成される。例えば、文字板１４はポリカーボネート樹脂やアクリル樹脂からなるとよい。また、それら樹脂に限らず、透明な樹脂であれば良く、例えば、フッ化樹脂やエチレン系樹脂等を使用しても良い。
【００２５】
本実施形態においては、図１の破線で示すように、太陽電池３０は概略円形をなし、１０時方向から２時方向が扇状に切り欠かれている。そして、文字板１４の下側において、この切り欠かれた部分（太陽電池３０が存在しない領域）に衛星信号を受信するためのパッチアンテナ２０が配置されている。このように、パッチアンテナ２０を、平面視において太陽電池３０と重ならないように配置することにより、太陽電池３０に含まれる電極によるパッチアンテナ２０の受信感度への影響を抑制することができる。なお、太陽電池の形状は扇形の切り欠きが形成されるものに限られるものではない。例えば、中央部が切りかかれたリング形状（ドーナツ形状）の太陽電池であってもよいし、リング形状の一部が切りかかれたＣ字形状の太陽電池であってもよい。さらに、外形が円状のものに限られるものでもなく、角型の外形を有する太陽電池であっても構わない。
【００２６】
図２に示すように、太陽電池付き時計１は、さらに、文字板１４と太陽電池３０の間に設けられる半透過反射板４７、太陽電池３０の下側に設けられるムーブメント３８を有する。ムーブメント３８は、指針を駆動するための輪列とモータ、時刻を計時する水晶振動子を含む時計回路、太陽電池付き時計１全体を制御するコントローラ等を地板と呼ばれる枠に一体に組み付けたものである。ムーブメント３８は、ムーブメント３８に取り付けられた蓄電池から電力を得て動作する。蓄電池は、ムーブメント３８に電力を供給すると同時に、太陽電池３０により発電された電力を蓄積するものであり、例えば、ボタン型のリチウム二次電池である。
【００２７】
本実施形態においては、太陽電池３０は、ムーブメント３８に一体的に設けられている。また、ムーブメント３８には指針軸が文字板１４の上面から突出するように設けられており、その先端に秒針１７、分針１６、時針１５が取り付けられている。そして、それらを覆うようにして風防３２が胴１０に固定されている。
【００２８】
次に、図３、図４を参照して、本実施形態の文字板１４の構成について説明する。図３は、本実施形態の文字板及び太陽電池の概要を示す断面図である。図４は、本実施形態の文字板を下面側から見た平面図である。
【００２９】
なお、文字板１４と太陽電池３０との間には、図２で示したように、入射光を適度に透過、反射させるために半透過性反射板４７が設けられるとよいが、必須の構成ではないため、図３においては、半透過性反射版４７の図示は省略する。また、図３においては、図が複雑になるのを避けるためハッチングを省略する。また、図３に示すように、文字板１４の下面と太陽電池３０との間の空間は空気層２４となっている。文字板１４と空気層２４とでは屈折率が異なるため、文字板１４の下面と空気層２４との界面において、光は屈折又は反射することとなる。
【００３０】
本実施形態においては、文字板１４の下面には、上側に窪んだ谷条部１４１と、谷条部１４１に隣接して下側に突出した山条部１４２とからなる凹凸が形成されている。このように文字板１４の下面に凹凸を形成する理由は、文字板１４の下面と空気層２４との界面において光を反射させることにより外部から見て太陽電池３０等の文字板１４の下側に設けられる内部構造を目立たないようにするためである。凹凸の高さやピッチは数十μｍ〜百数十μｍ程度であるとよい。
【００３１】
なお、本実施形態においては、文字板１４の下面のうち、最も窪んだ箇所を底部１４１ａと呼び、最も出っ張った箇所を頂部１４２ａと呼ぶこととする。また、本実施形態においては、谷条部１４１は、文字板１４の厚み方向における底部１４１ａと頂部１４２ａとの中間よりも上側の部分であり、山条部１４２は、文字板１４の厚み方向における底部１４１ａと頂部１４２ａとの中間よりも下側の部分であると定義する。すなわち、本実施形態においては、文字板１４の厚み方向における、谷条部１４１の深さと山条部１４２の高さは等しい。なお、谷条部１４１と山条部１４２の定義の詳細については、図９を参照して後述する。
【００３２】
また、本実施形態においては、図３に示すように、断面視における谷条部１４１の底部１４１ａが、山条部１４２の頂部１４２ａよりも大きく丸みを帯びるように凹凸を形成した。言い換えると、断面視における谷条部１４１の底部１４１ａの曲率半径が、山条部１４２の頂部１４２ａの曲率半径よりも大きくなるように凹凸を形成した。
【００３３】
凹凸は、文字板１４の下面に、図４（ａ）に示すように同心円状に形成されてもよいし、図４（ｂ）に示すように渦巻き状に形成されてもよい。なお、図４（ａ）、図４（ｂ）においては、実線が山条部１４２の頂部１４２ａを示しており、実線の間の部分が谷条部１４１の底部１４１ａを示している。ただし、図４（ａ）、図４（ｂ）に示す凹凸の形状は一例であり、例えばストライプ状や放射状に形成されてもよし、また、一様な模様に限られるものでもなく、装飾的な模様が形成されるものであってもよい。また、図４（ａ）、図４（ｂ）においては、文字板１４の全領域に凹凸が形成される例について示すが、これに限られるものではなく、少なくとも平面視において太陽電池３０と重なる領域に凹凸が形成されていればよい。すなわち、例えば、図１に示すパッチアンテナ２０が配置される領域と重なる領域においては、文字板１４の下面に凹凸は形成されていなくてもよい。
【００３４】
さらに、図５〜図７を参照して、文字板１４に形成される凹凸における光の透過の詳細について説明する。図５は、従来例の文字板に形成される凹凸の谷条部における光の透過と、本実施形態の文字板に形成される凹凸の谷条部における光の透過との比較について説明する模式図である。図６は、本実施形態の文字板に形成される凹凸の谷条部における光の透過について説明する模式図である。図７は、本実施形態の文字板に形成される凹凸の山条部における光の透過について説明する模式図である。
【００３５】
文字板１４の下面と空気層２４との界面において光を反射させるために、文字板１４の下面に凹凸を形成することは従来より行われていたが、凹凸の断面形状は、底部と頂部が直角等の角形であった。図５の一点鎖線は、従来例における谷条部の底部を示す。また、図５の破線矢印は、従来例における光の光路を示しており、文字板１４の下面と空気層２４との界面に入射される入射光ｌ１と、その界面における透過光（屈折光）ｌ２、反射光ｌ３を示している。また、図５の実線矢印は、本実施形態における光の光路であって、文字板１４の下面と空気層２４との界面に入射される入射光Ｌ１と、その界面における透過光（屈折光）Ｌ２を示している。
【００３６】
ここで、光の反射率は、入射角に依存することが知られている（フレネルの式）。具体的には、界面に入射される光の入射角が大きい程、反射率が大きくなり、入射角が小さい程、反射率が小さくなることが知られている。言い換えると、界面に入射される光の入射角が大きい程、透過率が小さくなり、入射角が小さい程、透過率が大きくなることが知られている。すなわち、界面に垂直に入射される光（入射角０度）の透過率が最も高い。なお、ここで、反射率とは、屈折率が異なる物質間の界面に入射される光束に対する反射される光束の割合である。また、透過率とは、異なる物質間の界面に入射される光束に対する透過される光束の割合である。
【００３７】
図５においては、説明を簡易にするため、文字板１４の上面１４５に対して垂直（９０度）に入射される光が、谷条部１４１の底部１４１ａにおける文字板１４の下面と空気層２４との界面において反射、透過する例について示している。なお、本実施形態においては、文字板１４の上面１４５を平面とした。
【００３８】
ここで、従来例においては、谷条部の底部の断面形状は角形となっており、上面１４５に対して所定の角度で傾斜する斜面が形成される構成となっている。文字板１４の上面１４５に対して垂直に入射される光ｌ１は、底部を形成する斜面に対して、所定の入射角で入射し、その一部が反射される。
【００３９】
一方、本実施形態においては、谷条部１４１の底部１４１ａの断面形状を、丸みを帯びた形状とした。そのため、谷条部１４１の底部１４１ａの断面形状は、従来例の構成と比較して、文字板１４の上面１４５に対する傾斜が小さい（上面１４５に対して平行に近い）。したがって、本実施形態においては、従来例と比較して、谷条部１４１の底部１４１ａと空気層２４との界面に入射される光の入射角が小さくなっている。このような構成のため、本実施形態においては、従来例と比較して、谷条部１４１の底部１４１ａと空気層２４との界面における光の反射率が小さく、透過率が大きい。そのため、本実施形態においては、文字板１４の下側に配置される太陽電池３０まで届く光の量が従来例に比較して多く、太陽電池３０における発電量が多い。
【００４０】
上記のように、谷条部１４１の底部１４１ａの断面形状を、丸みを帯びた形状にすることにより、光の透過率を向上させ、太陽電池３０における発電量を向上することができるのと同様に、山条部１４２の頂部１４２ａの断面形状を、丸みを帯びた形状にすることにより、光の透過率を向上させ、太陽電池３０における発電量を多くすることができる。しかしながら、以下で説明するように、山条部１４２の頂部１４２ａの断面形状を、丸みを帯びた形状にすることよりも、谷条部１４１の底部１４２ａの断面形状を、丸みを帯びた形状にする方が、より発電量の向上を期待できる。そこで、本実施形態においては、断面視における谷条部１４１の底部１４１ａが、山条部１４２の頂部１４２ａよりも大きく丸みを帯びるように凹凸を形成した。
【００４１】
図６に示すように、谷条部１４１の底部１４１ａと空気層２４との界面には、文字板１４の上面１４５に略平行に進む光も含めて、多方向からの光が入射され、それら光は谷条部１４１と空気層２４との界面を透過する。
【００４２】
一方、図７に示すように、山条部１４２の頂部１４２ａにおいては、頂部１４２ａに対して小さい傾斜角で入射される光（図７中の点線矢印）については、山条部１４２と空気層２４との界面を透過する透過光ではない。図７中の点線矢印で示す光は文字板１４の外部から文字板１４へ入射されるものであるためである。このように図７中の点線矢印で示す光が、界面における透過光として関与しない分、頂部１４２ａの断面形状を、丸みを帯びた形状とすることによる透過率の向上は、底部１４１ａの断面形状を、丸みを帯びた形状とすることによる透過率の向上よりも効果が小さいといえる。
【００４３】
したがって、本実施形態においては、より透過率の向上が見込まれる谷条部１４１の底部１４１ａの断面形状を、大きく丸みを帯びた形状とした。なお、本実施形態においては、山条部１４２の頂部１４２ａの断面形状も丸みを帯びた形状としたが、これに限られるものではなく、頂部１４２ａの断面形状については従来例で示したように直角などの角形であっても構わない。また、谷条部１４１の底部１４１ａは必ずしも丸みを帯びた形状である必要はなく、上面１４５に対する傾斜が小さい面を有するものであればよい。すなわち、底部１４１ａは、例えば、上面１４５に平行な平面を含むものであってもよい。
【００４４】
さらに、図８〜図１０を参照して、太陽電池３０の視認性について説明する。上述のように、文字板１４における透過率が高いほど、太陽電池３０に多くの光が入射され、発電量が大きくなる。一方で、太陽電池３０の表面で反射された反射光の、文字板１４における透過率に応じて、ユーザは、文字板１４を介して太陽電池３０を視認することとなる。ここで、太陽電池３０は独特の濃紫色を有しているため、外部から目立たない方が美観上好ましい。また、太陽電池３０は、図１で示したように一部が切り欠かれた形状であり、そのような形状が文字板１４から透けて視認されるのは美観上好ましくない。また、太陽電池３０としてはセル毎に分割されるものがあり、そのような太陽電池３０を用いた場合、セル間の分割線が文字板１４から透けて見えると美観上好ましくない。すなわち、太陽電池３０における反射光が、文字板１４を透過しにくい構成の方が、美観上好ましいといえる。
【００４５】
図８は、本実施形態における光の反射、透過について説明する模式図である。図８においては、谷条部１４１の底部１４１ａを透過した透過光Ｌ１１、山条部１４２の頂部１４２ａを透過した透過光Ｌ１２、太陽電池３０に入射された透過光のうち太陽電池３０で反射された反射光Ｌ１３、反射光Ｌ１３のうち谷条部１４１の底部１４１ａを透過した透過光Ｌ１４、反射光Ｌ１３のうち山条部１４２の頂部１４２ａを透過した透過光Ｌ１５を示す。なお、図８中の矢印の長さは、相対的な光の量を模式的に表している。
【００４６】
透過光Ｌ１１と透過光Ｌ１２は、太陽電池３０に入射される。それにより太陽電池３０において発電が行われると共に、一部が反射光Ｌ１３として、文字板１４側へ反射される。この反射光Ｌ１３により、ユーザは太陽電池３０を視認することとなる。
【００４７】
ここで、反射光Ｌ１３は、文字板１４の下面と空気層２４との界面に対する入射角が小さい程、透過率が高くなる。そして、反射光Ｌ１３は、山条部１４２の頂部１４２ａに対して最も多方向から入射されるため、頂部１４２ａの断面形状が文字板１４の上面１４５に対する傾斜が小さい程、透過率が高くなる。この点に関して、本実施形態においては、山条部１４２の頂部１４２ａの断面形状は、谷条部１４１の底部１４１ａの断面形状よりも丸みを帯びていない。そのため、本実施形態においては、反射光Ｌ１３の文字板１４に対する透過率はそれほど大きくなく、太陽電池３０は外部から視認しにくく目立たないようになっている。
【００４８】
以上述べたように、本実施形態の太陽電池付き時計１の構成によると、文字板１４の上面１４５側から入射される光の透過率が高く、太陽電池３０における発電量が向上する。また、本実施形態の太陽電池付き時計１の構成によると、太陽電池３０で反射されて文字板１４の下面側から上面１４５側へ向かう光における、文字板１４の下面と空気層２４との界面における透過率はそれほど高くなく、太陽電池３０が外部から目立ちにくい。
【００４９】
さらに、図９〜図１１を参照して、本実施形態の文字板１４の下面の凹凸の形状の詳細について説明する。図９〜図１１は、本実施形態の文字板の下面の凹凸の形状の詳細を説明するための模式図である。
【００５０】
上述のように、従来例の凹凸においては、谷条部の底部と山条部の頂部の断面形状が角形であり、かつ谷条部と山条部とが略同等の外形となっている。本実施形態においては、従来例の角形に丸みを帯びさせた形状を採用するとよい。そして、本実施形態においては、谷条部１４１の底部１４１ａを、山条部１４２の頂部１４２ａよりも大きく丸みを帯びた形状とした。図９の実線は、本実施形態の谷条部１４１と山条部１４２を示しており、破線は、従来例の谷条部の底部と山条部の頂部を示している。
【００５１】
また、上述したように、文字板１４の厚み方向における、谷条部１４１の深さと山条部１４２の高さが等しいと定義した。従来例においては、図９に示すように、底部と頂部との中間Ｃ１を境に、上側の部分が谷条部であり、下側の部分が山条部と定義される。一方、本実施形態においては、底部１４１ａと頂部１４２ａとの中間Ｃ２を境に上側の部分が谷条部１４１であり、下側の部分が山条部１４２と定義される。谷条部１４１の丸みが大きい分、中間Ｃ２は、中間Ｃ１よりも下側に位置することとなる。したがって、図９に示すように、本実施形態において、文字板１４の厚み方向に直交（交差）する方向における谷条部１４１の幅Ｗ１は、山条部１４２の幅Ｗ２よりも大きくなっている。
【００５２】
また、本実施形態における、谷条部１４１の底部１４１ａと、山条部１４２の頂部１４２ａとの関係を別の観点から説明すると、図１０に示すように、断面視における、上面１４５に対する谷条部１４１の底部１４１ａの最大傾斜角度θ１は、上面１４５に対する山条部１４２の頂部１４２ａの最大傾斜角度θ２よりも小さいといえる。なお、ここで、底部１４１ａは、最も窪んだ箇所から所定の長さｘ１までの領域を示し、頂部１４２ａは、最も出っ張った箇所から所定の長さｘ２までの領域を示すこととし、ｘ１とｘ２とは等しい長さであるとする。
【００５３】
さらに、本実施形態における、谷条部１４１の底部１４１ａと、山条部１４２の頂部１４２ａとの関係を別の観点から説明すると、図１１に示すように、断面視における、谷条部１４１の底部１４１ａの曲率半径Ｒ１は、山条部１４２の頂部１４２ａの曲率半径Ｒ２よりも大きいといえる。本出願の発明者の知見によると、曲率半径が大きいほど光の透過率は高くなり、特に底部１４１ａの曲率半径を大きくすることで透過率をより向上することができる。
【００５４】
以上、本発明に係る実施形態について説明したが、この実施形態に示した具体的な構成は一例として示したものであり、本発明の技術的範囲をこれに限定することは意図されていない。当業者は、これら開示された実施形態を適宜変形してもよく、本明細書にて開示される発明の技術的範囲は、そのようになされた変形をも含むものと理解すべきである。
【符号の説明】
【００５５】
１  太陽電池付き時計、１０  胴、１１  バンド固定部、１２  ボタン、１３  竜頭、１４  文字板、１４１  谷条部、１４１ａ  底部、１４２  山条部、１４２ａ  頂部、１４５  上面、１５  時針、１６  分針、１７  秒針、２０  パッチアンテナ、３０  太陽電池、３２  風防、３６  裏蓋、３８  ムーブメント、４７  半透過反射板、４９  時字。
【図１】
2020016574.tif 000003
【図２】
2020016574.tif 000004
【図３】
2020016574.tif 000005
【図４】
2020016574.tif 000006
【図５】
2020016574.tif 000007
【図６】
2020016574.tif 000008
【図７】
2020016574.tif 000009
【図８】
2020016574.tif 000010
【図９】
2020016574.tif 000011
【図１０】
2020016574.tif 000012
【図１１】
2020016574.tif 000013